(57)【要約】      （修正有）【課題】マイクまたはレシーバを内蔵した本体部に対してレシーバまたはマイクを内蔵した伸長部をスライドさせても、両者の良好な電気的接続を保つことができる電話機を提供する。【解決手段】電話機１Ａは、伸長部３の本体部２側ガイドに対向した裏面には２個の金属接点８、９が所定の間隔を隔てて露出して配設されており、これらの金属接点８、９を相互に結線すると共にそれぞれレシーバ３２及びＬＣＤ３３に接続する。一方、本体部２の伸長部３と対向する操作キー２３、両ガイドが配設されている側の上端部には金属接点７が露出し、そして前記両金属接点８、９と対向した状態で配設されている。伸長部が収納状態であると、金属接点７と金属接点８とが接続され、伸長部を伸長すると金属接点７は金属接点９と接続される。【選択図】図４
2006345566.tif 000002
【特許請求の範囲】
【請求項１】
本体部と、
上記本体部に設けられた操作部と、
上記本体部に設けられた送話部と、
上記操作部が設けられた上記本体部の面上に形成されるガイドと、
上記ガイドに沿ってスライド可能なスライド機構と、
上記スライド機構を介して上記操作部が設けられた上記本体部の一面と対向するように上記本体部に取り付けられ、上記操作部を隠す位置である収納位置と、上記操作部が表れた状態である伸長位置との間をスライド移動可能な伸長部と、
上記伸長部に設けられた受話部と、
上記伸長部に設けられた表示部と
から構成される電話機。
【請求項２】
上記電話機は、更に、
上記伸長部の上記本体部と対向する側に設けられた電気的接続接点と、
上記本体部の上記一面の上端部に設けられた金属接点とを備え、
上記電気的接続接点と上記金属接点とが接続されることを特徴とする請求項１記載の電話機。
【請求項３】
上記電話機において、
上記電気的接続接点は、２つの電気的接続接点からなり、一方の電気的接続接点は、上記伸長部が収納位置に位置するとき上記金属接点と接続される位置に設けられ、他方の電気的接続接点は、上記伸長部が伸長位置に位置するときに上記金属接点と接続される位置に設けられることを特徴とする請求項２記載の電話機。
【請求項４】
上記電話機において、
上記電気的接続接点は、２つの電気的接続接点からなり、当該２つの電気的接続接点は、上記伸長部のスライド方向に所定の間隔で設けられることを特徴とする請求項２記載の電話機。
【請求項５】
上記電話機において、
上記ガイドは、一対のガイドにより構成され、
上記操作部は、上記本体部における上記一対のガイドに挟まれた位置に設けられていることを特徴とする請求項１記載の電話機。
【発明の詳細な説明】
【技術分野】
【０００１】
本発明は、送話部または受話部を備えた本体部に対して受話部または送話部を備えた伸長部が伸縮自在に取り付けられている構造の電話機、特にその電気的接続接点構造に関するものである。
【背景技術】
【０００２】
先ず、図を用いて従来技術の電話機を説明する。
図９は従来技術の第１形態の電話機を示す斜視図であり、図１０は第２形態の電話機を示す斜視図である。
【０００３】
図９に示した従来技術の第１形態の電話機１００はマイクが収納されている送話部１０１とスピーカが収納されている受話部１０２とが同一のキャビネット１０３に収納された構造で構成されており、その送話部１０１と受話部１０２との間隔Ｌを使用者の口と耳との間隔にほぼ近い間隔を開けないと使い勝手が悪くなる。従って、ポケットなどに収納して携帯し易くするため電話機１００の長さを短くしようとしても、その長さを短くすることには限界があった。
【０００４】
この構造の電話機１００の欠点を改良しようと考案された電話機が図１０に示した第２形態の電話機２００である。
この電話機２００の構造は、マイクを収納したフラップ構造の送話部２０１が、スピーカが収納され、この電話機２００の本体となる受話部２０２とヒンジ２０３で連結され、その送話部２０１が受話部２０２に対して開閉できる構造で構成されたものである。
【発明の開示】
【発明が解決しようとする課題】
【０００５】
しかし、第２形態の電話機２００では、フラップ構造の送話部２０１を開閉する時に占有する空間の容積が大きいため、狭い場所では送話部２０１の開閉がし難いという課題がある。
【０００６】
本発明は、このような課題を解決しようとするものであって、本体部に対して伸長部を伸縮させても、両者の電気的接続状態が変わらない電気的接続構造を備えた電話機を得ることを課題とするものである。
【課題を解決するための手段】
【０００７】
前記課題を解決するため、本発明の電話機は、送話部または受話部を備えた本体部に対して受話部または送話部を備えた伸長部がスライドできるように取り付けられて電話機において、前記伸長部には相互に接続された複数個の電気的接続接点を設け、前記本体部には前記複数個の電気的接続接点に対して共通の電気的接続接点を設け、前記伸長部を前記本体部に収納させた状態とスライドさせて伸長させた状態とで前記本体部の電気的接続接点に対して前記伸長部の異なる電気的接続接点が接続される電気的接続接点構造で構成して、前記課題を解決している。
【０００８】
従って、本発明の電話機は、その全長を短くでき、そして本体部と伸長部との伸縮時の電気的接続を、極めて簡単な構造、最小の面積で、しかも変化させることなく接続できる。
【発明の効果】
【０００９】
以上説明したように、本発明の電話機は、マイクとレシーバとの距離をスライド機構によって調節できるため、使い勝手を落とすことなく、収納時には電話機の長さを短くでき、そしてコンパクトに収納できるため、伸縮時に占有する空間の容積を縮小できる。
また、伸長部を伸長した状態と縮小した状態とで電気的接続が変化せず、フレキシブルケーブルなどを利用して本体部と伸長部との接続を取る接続構造の場合のフレキシブルケーブルの弛みを納める空間が必要になるなどの処理課題があることに比べ簡単な機構で構成することができる。
【発明を実施するための最良の形態】
【００１０】
以下、図面を参照しながら、本発明の電話機の実施例を説明する。
図１は本発明の第１実施例の電話機の縮めた状態の外観斜視図であり、図２は図１に示した電話機の伸長した状態の外観斜視図であり、図３は図１に示した状態における第１実施例の電話機の要部を示した回路ブロック図であり、図４は図２に示した状態における第１実施例の電話機の要部を示した回路ブロック図であり、図５は本発明の第２実施例の電話機の縮めた状態の外観斜視図であり、図６は図５に示した電話機の伸長した状態の外観斜視図であり、図７は図５に示した状態における第２実施例の電話機の要部を示した回路ブロック図であり、そして図８は図６に示した状態における第２実施例の電話機の要部を示した回路ブロック図である。
【００１１】
先ず、図１乃至図４を参照しながら、本発明の第１実施例の電話機の構成及び使用形態を説明する。
これらの図において、符号１Ａは本発明の第１実施例の電話機を指す。この電話機１Ａは、偏平な直方体のキャビネット２１に送話装置（マイク、以下、「マイク」と記す）２２が配設された本体部２と、前記キャビネット２１よりも一層偏平な直方体のキャビネット３１に受話装置（レシーバ、以下、単に「レシーバ」と記す）３２が配設された伸長部３とから構成されている。
【００１２】
図２に示したように、前記本体部２の正面下部には前記マイク２２が、その中央部には操作キー２３が配設されている。そして操作キー２３の両側のキャビネット２１の長手方向に一対のガイド４２が形成されている。また、マイク２２の側と反対の側の上端面にはアンテナ４１が装着されている。
一方の伸長部３のキャビネット３１の正面上部には前記レシーバ３２が、そしてこのレシーバ３２の下方部のほぼ全面に表示装置であるＬＣＤ３３が配設されている。
【００１３】
伸長部３は本体部２に、図１に示した収納状態から図２に示した伸長状態のように、本体部２の前記ガイド４２に沿って伸長できるスライド機構で取り付けられている。伸長部３を本体部２に対してスライドさせると、図２に示したように、伸長部３で隠れていた操作キー２３などが現れ、使用者はダイヤル操作などを行うことができる。
【００１４】
本体部２と伸長部３との回路構成及び両者の電気的接続構造を図３及び図４に示した。図３は伸長部３を本体部２に縮めた（収納した）状態を示しており、図４は伸長部３を本体部２に対して伸長させた状態を示している。
伸長部３の本体部２側ガイド４２に対向したキャビネット３１の裏面には、２個の金属接点８、９がその長手方向に所定の間隔を隔てて露出した状態で設けられており、そしてこれらの金属接点８、９は相互に結線され、共にそれぞれレシーバ３２及びＬＣＤ３３に接続されている。
また、本体部２の前記伸長部３と対向する操作キー２３、両ガイド４２が配設されている側の上端部には金属接点７がキャビネット２１から露出し、前記両金属接点８、９と対向した状態で配設されている。
【００１５】
マイク２２から音声が入力されると、音声コーデック２４でアナログ／デジタル変換（以下、単に「Ａ／Ｄ変換」と記す）された後、デジタル的に圧縮される。このデータがチャンネルコーデック２５で送信処理され、モデム２６で変調を受け、ＲＦ部２７で増幅、周波数変換されてアンテナ４１から電波として放射される。
【００１６】
逆に、アンテナ４１に電話機１Ａに対する着信があると、ＲＦ部２７によって増幅、周波数変換されると共に、モデム２６によって復調されて、チャンネルコーデック２５に伝送される。チャンネルコーデック２５で受信処理された後、音声コーデック２４でデジタル的に伸長された後、デジタル／アナログ変換（以下、単に「Ｄ／Ａ変換」と記す）され、本体部２側に配設されている共通の金属接点７とこの金属接点７に接している伸長部３に配設されている一方の金属接点８とを介してレシーバ３２に伝送され、音声として放射される。マイコン２８はメモリ２８Ａ内のプログラムやデータに基づいて各部の制御を行うと共に、操作キー２３からの入力処理、金属接点７、８を介してＬＣＤ３３に伝送され、表示処理が行われる。
【００１７】
伸長部３を伸長した状態では、電話機１Ａの外観は図２に示したようになり、回路的には図４に示したような接続構造になる。図３に示した伸長部３を縮めた状態との相違点は、本体部２と伸長部３との接続が、金属接点７と金属接点８との接続ではなく、金属接点７と金属接点９との接続で行われている点である。前記のように金属接点８、９は相互に接続されており、電気的にショートされた状態であるため、伸長部３を伸長した状態と短縮させた状態とで電気的接続状態は変わらない。
【００１８】
次に、図５乃至図８に、本発明の第２実施例の電話機１Ｂを示した。この第２実施例の電話機１Ｂは前記第１実施例の電話機１Ａの変形例であって、本実施例の電話機１Ｂでは、本体部５側のキャビネット５１の上部にレシーバ５２が、その下方にＬＣＤ５３が、更にその下方に操作キー５４が配設されており、その操作キー５４の両側で操作キー５４に沿って一対のガイド５５がキャビネット５１の下方に向かって配設されている。
一方の伸長部６側のキャビネット６１の下部にマイク６２が配設されていて、本体部５側のガイド５５に案内されて、図６に示したように、その本体部５上を下方にスライドできる構造で構成されている。
【００１９】
また、この電話機１Ｂの回路構成は、図７及び図８に示したように、図３及び図４に示した第１実施例の電話機１Ａのそれと本質的に同一であるが、前記のように構造的な相違点があるために、その部分だけ、若干、回路構成は異なる。
即ち、本体部５側の前記伸長部３と対向するレシーバ５２、ＬＣＤ５３、操作キー５４及び両ガイド５５が配設されている側の下端部には金属接点７がキャビネット５１の表面から露出した状態で配設されていて、この金属接点７は音声コーデック５５に接続されている。
【００２０】
一方の伸長部６の前記本体部５側の裏面には、２個の金属接点８、９がその長手方向に所定の間隔を隔てて露出した状態で配設されており、そしてこれらの金属接点８、９は相互に結線され、マイク６２に接続されている。
その他の回路要素、回路構成及び機能は第１実施例の電話機１Ａと同一であるため、それらの説明を省略する。付した符号は異なるが各部の機能は同一である。
【図面の簡単な説明】
【００２１】
【図１】本発明の第１実施例の電話機の縮めた状態の外観斜視図である。
【図２】図１に示した電話機の伸長した状態の外観斜視図である。
【図３】図１に示した状態における第１実施例の電話機の要部を示した回路ブロック図である。
【図４】図２に示した状態における第１実施例の電話機の要部を示した回路ブロック図である。
【図５】本発明の第２実施例の電話機の縮めた状態の外観斜視図である。
【図６】図５に示した電話機の伸長した状態の外観斜視図である。
【図７】図５に示した状態における第２実施例の電話機の要部を示した回路ブロック図である。
【図８】図６に示した状態における第２実施例の電話機の要部を示した回路ブロック図である。
【図９】従来技術の第１形態の電話機を示す斜視図である。
【図１０】従来技術の第２形態の電話機を示す斜視図である。
【符号の説明】
【００２２】
１Ａ…本発明の第１実施例の電話機、１Ｂ…本発明の第２実施例の電話機、２，５…本体部、２１，３１，５１，６１…キャビネット、２２，６２…マイク、２３，５４…操作キー、３，６…伸長部、３２，５２…レシーバ、３３，５３…ＬＣＤ、４１…アンテナ、４２，５５…ガイド、７，８，９…金属接点
【図１】
2006345566.tif 000003
【図２】
2006345566.tif 000004
【図３】
2006345566.tif 000005
【図４】
2006345566.tif 000006
【図５】
2006345566.tif 000007
【図６】
2006345566.tif 000008
【図７】
2006345566.tif 000009
【図８】
2006345566.tif 000010
【図９】
2006345566.tif 000011
【図１０】
2006345566.tif 000012